(57)【要約】      （修正有）【課題】繰り返し使用でき、尚且つ、長期的に好ましい包覆能力効果を保持できる包覆袋を提供する。【解決手段】包覆袋は、人体の一部を挿入する防水袋体を備え、該防水袋体の内層には、吸湿性を備えた内袋を備え、該内袋にスキンケア商品或いは皮膚を潤す乳液を吸着して使用し、防水袋体は、水分が外部に漏れるのを防止することができる。防水袋体と内袋は、それぞれ独立した単体であるか、或いは二者が圧合固定されたものである。包覆袋の防水袋体には、粘着部材本体を設け、そのうち、粘着部材本体の外側面には、繰り返し貼れるテープ層を被覆し、並びに、繰り返し剥がしたり、被覆できる粘着テープ保護片を備える。【選択図】図３
0003171019.tif 000002
【実用新案登録請求の範囲】
【請求項１】
人体の一部を挿入するための開口を備えた防水袋体と、
靭性を備えた一枚状の構造体をなし、その一端は防水袋体の外表層に固設する固定端とし、他の一端は、防水袋体に対して可動する可動端とし、外側面には、繰り返し貼れるテープ層を被覆してあるため、外側面を動かして防水袋体に貼り合わせることを可能とする粘着部材本体と、
繰り返し貼れるテープ層上に被覆し、剥がしたり、被覆したりの繰り返し使用が可能である粘着テープ保護片と、を備えることを特徴とする包覆袋。
【請求項２】
前記包覆袋において、その防水袋体の内層には、吸湿性を備えた内袋を配置し、防水袋体と内袋とは、それぞれが独立した単体であるか、或いは、防水袋体と内袋とが圧合固定されたものであることを特徴とする請求項１記載の包覆袋。
【請求項３】
前記防水袋体は、粘着部材本体の可動端と重なり合う箇所に、予定の長さの区域である繰り返し貼れるテープ区段を設けることを特徴とする請求項１記載の包覆袋。
【請求項４】
粘着部材本体の内側面に剥離特性処理を施すか、粘着テープ保護片の表面に剥離特性処理を施すことを特徴とする請求項３記載の包覆袋。
【請求項５】
粘着部材本体の固定端は、固定テープを用いて防水袋体の外表層に粘着固定し、粘着部材本体の可動端の末端に設けた予定の長さの区域は、繰り返し貼れるテープ層に被覆されないことを特徴とする請求項１記載の包覆袋。
【請求項６】
前記防水袋体の輪郭デザインは、人体の足の裏の輪郭にほぼ類似するか、人体の掌の輪郭にほぼ類似することを特徴とする請求項１記載の包覆袋。
【考案の詳細な説明】
【技術分野】
【０００１】
本考案は、人体の一部に着用する包覆袋に関し、特に、繰り返し使用でき、尚且つ、長期的に好ましい包覆能力効果を保持する包覆袋に係る。
【背景技術】
【０００２】
加齢および気候や環境の影響を受け、人体の皮膚は、悪化や老化を免れられない状況にある。そのうち、手や足の皮膚は、常に外部との接触があるため、亀裂や老化現象が非常に顕著である。よって、多くの人たちは、油質のスキンケア商品や皮膚に潤いを与える乳液などを亀裂や老化した皮膚に適度にすりこんで栄養を与え、よい状態を保たせている。
【０００３】
また、手や足につけたスキンケア商品が衣服や家具に付着しないように、皮膚に塗布した後には、手袋や靴下を着用するが、繊維によって構成された手袋や靴下には防水や密封効果はなく、家事をするのには非常に不便で、スキンケア商品が落ちてしまうのを阻止できない欠点がある。
【０００４】
そこで、市場には、図１に示したような足（或いは手）に着用して使用する包覆袋の構造が出現した。該包覆袋は基本的に、開口を備えた防水袋体１１を主体とし、人体の一部を防水袋体１１内に挿入するものである。また、防水袋体１１には調整リボン１２を設け、人体の一部を確実に防水袋体１１に挿入した後、調整リボン１２を用いて防水袋体１１の開口を適度に締め付けて、人体の一部に包覆効果を与えるものである。
【０００５】
上述の包覆袋は通常、好ましい防水、密封効果を備え、手や足に塗布したスキンケア商品を確実に包み込み、さらに積極的な手段でスキンケア商品の流失阻止を行い、吸収効果を高めている。尚、人体の一部を包み込む包覆袋の効果についていえば、前記調整リボン１２の効果が一定の影響力を及ぼしている。
【０００６】
しかし、公知の包覆袋に配置してある調整リボン１２の多くは、一般にテープにより構成されるもので、テープは、繰り返し粘着使用を可能とし、粘着力が弱く、しかも取りはずれ易いものである。特に、公知の調整リボン１２の粘着面には、いずれの保護措置もなく、塵やホコリ、毛髪、糸くず等の異物に接触して粘着力をなくしてしまうと、調整リボン１２に元来の機能を発揮させることができず、包覆袋は、人体の一部を包み込む効果を低下させる。
【考案の概要】
【考案が解決しようとする課題】
【０００７】
本考案は、繰り返し使用でき、好ましい包覆能力効果を長期間保持することが可能な包覆袋の提供を主な目的とする。
【課題を解決するための手段】
【０００８】
前記目的を達成するために、本考案の包覆袋は、基本的に、防水袋体、粘着部材本体、及び粘着テープ保護片を備える。その内、該防水袋体には、人体の一部を挿入するための開口を設け、その内層には、吸湿性を備えた内袋を備え、該内袋にスキンケア商品或いは皮膚を潤す乳液を吸着して使用するため、防水袋体は、水分が外部に漏れるのを防止することができる。防水袋体と内袋は、それぞれ独立した単体であるか、或いは二者が圧合固定されたものである。前記の粘着部材本体は、靭性を備えた一枚状の構造体をなし、その一端は該防水袋体の外表層に固設する固定端とし、他の一端は、防水袋体に相対して可動する可動端とする。該粘着部材本体の外側面には、繰り返し貼れるテープ層を被覆してあるため、粘着部材本体の外側面を動かして防水袋体に貼り合わせることが可能となる。また、粘着テープ保護片は、繰り返し貼れるテープ層上に被覆し、剥がしたり、被覆して繰り返し使用が可能である。
【０００９】
使用時は、人体の一部を確実に防水袋体に挿入した後、防水袋体の余計な部分を粘着部材本体方向に寄せて、さらに、粘着テープ保護片を剥がした状態の下、粘着部材本体の可動端を逆方向に、防水袋体を引っ張り寄せた区域を越えるまで引っ張った後、繰り返し貼れるテープ層を防水袋体上に粘着固定すると、粘着部材本体の固定作用によって、防水袋体の締め付け度を調整する目的を達成する。並びに、粘着部材本体を防水袋体から剥がした後は、粘着テープ保護片を再び、粘着部材本体の繰り返し貼れるテープ層上に被覆させると、繰り返し貼れるテープ層に塵やホコリ、毛髪、糸くず等の異物が付着するのを防止し、包覆袋は、好ましい包覆能力効果を長期間保たせることができる。
【００１０】
上述の主な構造特徴に基づき、前記包覆袋には、防水袋体の内層に、吸湿性を備えた内袋を配置する。前述構造の形態において、防水袋体と内袋は、それぞれが独立した単体とすることが可能である。また、前記構造形態においては、内袋は、防水袋体と相互に圧合固定することも可能である。
【００１１】
上述した主な構造特徴に基づき、前記防水袋体には、それが対応する粘着部材本体の可動端と重なり合う箇所に予定した長さの区域である繰り返し貼れるテープ区段を設ける。
【００１２】
上述した構造形態において、粘着部材本体の内側面には、剥離特性処理を施す。
【００１３】
上述の主な構造特徴に基づく前記粘着テープ保護片の表面には、剥離特性処理を施す。
【００１４】
上述した主な構造特徴に基づく前記粘着部材本体の固定端は、固定テープによって防水袋体の外表層に粘着固定する。
【００１５】
上述した主な構造特徴に基づく前記粘着部材本体の可動端の末端に設けた予定した長さの区域は、繰り返し貼れるテープ層に被覆されていない。
【００１６】
上述した主な構造特徴に基づく前記防水袋体の輪郭デザインは、概ね、人体の足の裏の輪郭に類似する。
【００１７】
上述した主な構造特徴に基づく前記防水袋体の輪郭デザインは、概ね、人体の掌の輪郭に類似する。
【考案の効果】
【００１８】
具体的に挙げると、本考案の包覆袋には、次のような効果が発揮される。
（１）本考案の包覆袋を未使用時には、粘着テープ保護片のカバー作用によって、繰り返し貼れるテープ層に塵やホコリ、毛髪、糸くず等の異物の付着を防ぐことができ、包覆袋の好ましい包覆、固定能力効果を長期的に保持する。
（２）本考案中の粘着部材本体は、可動端を逆方向に、防水袋体を引っ張り寄せた区域を越えるまで引っ張った後、防水袋体上に粘着固定する。操作は非常にスムーズに行えるため、包覆袋に好ましい調整効果を発揮させられる。
（３）本考案の包覆袋の未使用時には、その粘着部材本体の可動端を防水袋体の繰り返し貼れるテープ区段に粘着定位させると、粘着部材本体の可動端が任意に動いてしまうのを防ぐことができる。
（４）粘着部材本体の可動端末に設けた予定の長さの区域が、繰り返し貼れるテープ層に被覆されない設計であるため、操作時に繰り返し貼れるテープ層に接触するのを防ぎ、操作の使用における便利性を向上させる。
【図面の簡単な説明】
【００１９】
【図１】公知の包覆袋の構造図である。
【図２】本考案の好ましい実施例に関する包覆袋の構造図である。
【図３】本考案中の粘着部材本体、防水袋体、及び粘着テープ保護片の構造断面図である。
【図４】本考案の他の実施例に関する包覆袋の外観図である。
【図５】本考案の包覆袋を着用使用した状態図である。
【図６】本考案の包覆袋の固定状態図である。
【図７】本考案の他の実施例に関する包覆袋の固定状態図である。
【考案を実施するための形態】
【００２０】
本考案の特徴について、次に示す本案の図面及び実施例の詳細説明によりさらなる理解を深めていただきたい。
【実施例】
【００２１】
図２に示した本考案の好ましい実施例に関する包覆袋構造図、図３に示した本考案中の粘着部材本体、防水袋体、及び粘着テープ保護片の構造断面図のとおり、本考案の包覆袋は、基本的に、防水袋体２０、粘着部材本体３０、及び粘着テープ保護片４０を備える。
【００２２】
そのうち、前記防水袋体２０は、人体の一部を挿入するための開口を備え、その内層には、吸湿性を備えた内袋２２を配置する。内袋２２は、スキンケア商品或いは肌に潤いを与える乳液を吸着し、防水袋体２０は、水分の外部への漏れを防止する。防水袋体２０と内袋２２は、それぞれ独立した単体か、或いは二者を圧して重ね合わせて固定したものとする。実施時には、防水袋体２０の輪郭デザインは、人体の足の裏の輪郭に合わせたものか（図２参照）、或いは、人体の掌の輪郭に合わせたものとし（図４参照）、本考案は、人体の足の裏や掌を包み込むほか、防水袋体２０と内袋２２を足の踝や手の肘方向に延伸させて、包覆範囲を増加させることも可能である（図７参照）。
【００２３】
前記粘着部材本体３０は、靭性を備えた一枚状の構造体であり、その一端は、防水袋体２０の外表層に固設する固定端３１とし、他の一端は、防水袋体２０に対して可動する可動端３２とする。粘着部材本体３０の外側表面には、繰り返し貼れるテープ層３３を被覆してあるため、粘着部材本体３０の外側面を動かして防水袋体２０に貼り合わせることが可能となる。実施においては、粘着部材本体３０の固定端３１は、固定テープ３４を用いて防水袋体２０の外表層に粘着固定する。また、粘着部材本体３０の可動端３２の末端には予定した長さの区域を設け、前記繰り返し貼れるテープ層３３に被覆されていないため、操作時に、繰り返し貼れるテープ層３３に接触するのを避けられる。
【００２４】
前記粘着テープ保護片４０は、粘着部材本体３０の繰り返し貼れるテープ層３３上を被覆し、繰り返し貼れるテープ層３３に対する塵やホコリ、毛髪、糸くず等の異物の粘着を防止しカバーする効果を備える。また、粘着テープ保護片４０は繰り返し着脱し、被覆使用できる。実施時、粘着テープ保護片４０の表面には、剥離特性処理を施しているため、使用者は、粘着テープ保護片４０を繰り返し貼れるテープ層３３に確実に便利に被覆し、並びに、粘着テープ保護片４０を便利に剥がすことができる。
【００２５】
本考案の包覆袋を使用する時は、人体の一部を確実に防水袋体２０に挿入した後、図５に示すとおり、防水袋体２０の余計な部分を粘着部材本体３０方向に寄せて、さらに、粘着テープ保護片４０を剥がした状態の下、粘着部材本体３０の可動端３２を逆方向に、防水袋体２０を引っ張り寄せた区域を越えるまで引っ張った後、図６及び図７に示すとおり、繰り返し貼れるテープ層３３を防水袋体２０上に粘着固定すると、粘着部材本体３０の固定作用によって、防水袋体２０の締め付け度を調整する目的を達成する。
【００２６】
粘着部材本体３０を、防水袋体２０から剥がした後は（即ち包覆袋未使用時）、粘着テープ保護片４０を再び、粘着部材本体３０の繰り返し貼れるテープ層３３上に被覆させると、繰り返し貼れるテープ層３３に塵やホコリ、毛髪、糸くず等の異物が付着するのを防止し、包覆袋は、好ましい包覆能力効果を長期間保たせることができる。また、防水袋体２０には、図５に示すとおり、さらに、粘着部材本体３０の可動端３２と重なり合う箇所に、予定の長さの区域である繰り返し貼れるテープ区段２１を設けることにより、包覆袋を未使用時には、粘着部材本体３０の可動端３２を、防水袋体２０の繰り返し貼れるテープ区段２１に粘着定位させると、粘着部材本体３０の可動端３２が任意に動くのを防ぐことができる。尚、同様に、粘着部材本体３０の内側面には、剥離特性処理を施しているため、粘着部材本体３０の可動端３２は繰り返し固定したり、剥がして使用することができる。
【００２７】
前述の構造特徴により、本考案の包覆袋は、簡単操作で、好ましい包覆、固定能力をもつ特性を備え、手足に塗布したスキンケア商品を確実に包み込み、積極的な手段によってスキンケア商品の流失を阻止し、スキンケア商品の吸収効果を高める。さらに、防水袋体２０内層には、吸湿性を備えた内袋２２を設けてあるため、防水袋体２０内層には、好ましい保湿効果が備えられる。また、実施時には、内袋２２は、スキンケア商品或いは肌に潤いを与える乳液を吸収させて使用することも可能で、防水袋体２０は、水分の外部への漏出を防ぐことができる。防水袋体２０と内袋２２は、それぞれ、独立した単体とし、使用者は内袋２２を付加使用するか、二者を相互に圧合して固定するかを選択できる。
【００２８】
伝統的な公知の構造と比較し、本考案の包覆袋は次の効果を奏することがわかる。
（１）本考案の包覆袋を未使用時には、粘着テープ保護片のカバー作用によって、繰り返し貼れるテープ層に塵やホコリ、毛髪、糸くず等の異物の付着を防ぐことができ、包覆袋の好ましい包覆、固定能力効果を長期的に保持する。
（２）本考案中の粘着部材本体は、可動端を逆方向に、防水袋体を引っ張り寄せた区域を越えるまで引っ張った後、防水袋体上に粘着固定する。操作は非常にスムーズに行えるため、包覆袋に好ましい調整効果を発揮させられる。
（３）本考案の包覆袋の未使用時には、その粘着部材本体の可動端を防水袋体の繰り返し貼れるテープ区段に粘着定位させると、粘着部材本体の可動端が任意に動いてしまうのを防ぐことができる。
（４）粘着部材本体の可動端の末端に設けた予定の長さの区域が、繰り返し貼れるテープ層に被覆されない設計であるため、操作時に繰り返し貼れるテープ層に接触するのを防ぎ、操作の使用における便利性を向上させる。
【００２９】
上述したとおり、本考案は、好ましい実施を実現する包覆袋を提供するものであり、ここに、法に依拠して実用新案の出願をおこなう。本考案の技術内容及び技術特徴は、すでに上述で開示したとおりであるが、本技術に熟知する者であるなら、本考案の開示内容に基づき、本考案の創作精神から逸脱せずに各種の代替や修飾を行うことは可能である。よって、本考案の保護範囲は、実施例に開示した内容に制限されないものとし、本考案から逸脱しない各種の代替や修飾をもまた、次の実用新案登録請求の範囲に含まれるものとすることを、明記する。
【符号の説明】
【００３０】
１１                    防水袋体
１２                    調整リボン
２０                    防水袋体
２１                    繰り返し貼れるテープ区段
２２                    内袋
３０                    粘着部材本体
３１                    固定端
３２                    可動端
３３                    繰り返し貼れるテープ層
３４                    固定テープ
４０                    粘着テープ保護片
【図１】
0003171019.tif 000003
【図２】
0003171019.tif 000004
【図３】
0003171019.tif 000005
【図４】
0003171019.tif 000006
【図５】
0003171019.tif 000007
【図６】
0003171019.tif 000008
【図７】
0003171019.tif 000009